(57)【要約】【課題】電解水ミストが到達しにくい大空間であっても効率よく除菌を行う。【解決手段】水道水Ｗを電気分解して活性酸素種を含む電解水ＥＷを生成し、さらに超音波振動子２４により加振して、電解水ミストＭを生成し、この電解水ミストＭ中に空気を送風し、当該電解水ミストを通過させた後の空気を室内に吹き出す、あるいは、室内の空気を細かな泡として生成したＥＷ内に攪拌しつつ通過させ、通過させた後の空気を室内に吹き出す。【選択図】図４
2007236576.tif 000002
【特許請求の範囲】
【請求項１】
活性酸素種を含む電解水から電解水ミストを生成する電解水ミスト生成部と、
前記電解水ミスト中に空気を送風し、当該電解水ミストを通過させた後の前記空気を室内に吹き出す送風部と、
を備えたことを特徴とする空気除菌装置。
【請求項２】
請求項１記載の空気除菌装置において、
前記電解水ミストが満たされる除菌室を備え、
前記送風部は、前記除菌室内に満たされた前記電解水ミスト中に前記空気を送風する、
ことを特徴とする空気除菌装置。
【請求項３】
請求項１記載の空気除菌装置において、
前記電解水ミスト通過後の空気中の水分を気化させるべく加熱する加熱部を備えたことを特徴とする空気除菌装置。
【請求項４】
請求項１記載の空気除菌装置において、
前記電解ミストを循環させ、電解水ミストエアカーテンを生成するエアカーテン生成部を備え、
前記送風部は、前記空気が電解水ミストエアカーテン内を通過するように送風する、
ことを特徴とする空気除菌装置。
【請求項５】
請求項４記載の空気除菌装置において、
前記電解水ミストエアカーテンの流れの前記送風に起因する乱れを抑制するための整流部材が前記電解水ミストエアカーテンの流れに沿って配置されていることを特徴とする空気除菌装置。
【請求項６】
請求項２、請求項４あるいは請求項５のいずれかに記載の空気除菌装置において、
除菌後の前記空気を室内に送風する送風口側に前記電解水ミストの通過を遮断し、気体を通過させるフィルタが設けられていることを特徴とする空気除菌装置。
【請求項７】
請求項１ないし請求項６のいずれかに記載の空気除菌装置において、
電解水ミスト生成部は、前記電解水を加振するための超音波振動子を備えていることを特徴とする空気除菌装置。
【請求項８】
請求項１ないし請求項７のいずれかに記載の空気除菌装置において、
前記電解水ミスト生成部は、水道水を電気分解して電解水を生成する電解ユニットを備えていることを特徴とする空気除菌装置。
【請求項９】
活性酸素種を含む電解水中に空気を吹き込んで、バブリングし、前記電解水を通過させた後の前記空気を室内に吹き出すバブリング送風部と、
を備えたことを特徴とする空気除菌装置。
【請求項１０】
活性酸素種を含む電解水中に空気を吹き込んで、バブリングするバブリング部と、
前記電解水を通過させた後の前記空気を室内に吹き出す送風部と、
を備えたことを特徴とする空気除菌装置。
【請求項１１】
請求項９または請求項１０記載の空気除菌装置において、
水道水を電気分解して電解水を生成する電解ユニットを備えていることを特徴とする空気除菌装置。
【発明の詳細な説明】
【技術分野】
【０００１】
本発明は、細菌、ウィルス、真菌等の空中浮遊微生物（以下、単にウィルス等）というの除去が可能な空気除菌装置に関する。
【背景技術】
【０００２】
一般に、ウィルス等の除去を目的として、空気中に電解水ミストを拡散させて、この電解水ミストをウィルス等に直接接触させ、これらウィルス等を不活化する空気除菌装置が提案されている（例えば、特許文献１参照）。
【特許文献１】特開２００２−１８１３５８号公報
【発明の開示】
【発明が解決しようとする課題】
【０００３】
しかしながら、上記した除菌装置では、微粒子状の電解水ミストが到達しやすい使用環境下、すなわち、比較的小空間では効力を発揮するものの、電解水ミストが到達しにくい使用環境下、すなわち、大空間、例えば幼稚園や小・中・高等学校や、介護保険施設や、病院等では効力を発揮しにくいという問題がある。
そこで、本発明の目的は、電解水ミストが到達しにくい大空間であっても効率よく除菌を行うことが可能な空気除菌装置を提供することにある。
【課題を解決するための手段】
【０００４】
上記課題を解決するため、本発明は、空気除菌装置において、活性酸素種を含む電解水から電解水ミストを生成する電解水ミスト生成部と、前記電解水ミスト中に空気を送風し、当該電解水ミストを通過させた後の前記空気を室内に吹き出す送風部と、を備えたことを特徴としている。
上記構成によれば、電解水ミスト生成部は、活性酸素種を含む電解水から電解水ミストを生成する。
これにより、送風部は、電解水ミスト中に空気を送風し、当該電解水ミストを通過させた後の空気を室内に吹き出す。
【０００５】
この場合において、前記電解水ミストが満たされる除菌室を備え、前記送風部は、前記除菌室内に満たされた前記電解水ミスト中に前記空気を送風するようにしてもよい。
また、前記電解水ミスト通過後の空気中の水分を気化させるべく加熱する加熱部を備えるようにしてもよい。
さらに、前記電解ミストを循環させ、電解水ミストエアカーテンを生成するエアカーテン生成部を備え、前記送風部は、前記空気が電解水ミストエアカーテン内を通過するように送風するようにしてもよい。
【０００６】
さらにまた、前記電解水ミストエアカーテンの流れの前記送風に起因する乱れを抑制するための整流部材が前記電解水ミストエアカーテンの流れに沿って配置されているようにしてもよい。
また、除菌後の前記空気を室内に送風する送風口側に前記電解水ミストの通過を遮断し、気体を通過させるフィルタが設けられているようにしてもよい。
さらに、電解水ミスト生成部は、前記電解水を加振するための超音波振動子を備えているようにしてもよい。
さらにまた、前記電解水ミスト生成部は、水道水を電気分解して電解水を生成する電解ユニットを備えて構成されているようにしてもよい。
【０００７】
また、空気除菌装置において、活性酸素種を含む電解水中に空気を吹き込んで、バブリングし、前記電解水を通過させた後の前記空気を室内に吹き出すバブリング送風部と、を備えたことを特徴としている。
上記構成によれば、バブリング送風部は、活性酸素種を含む電解水中に空気を吹き込んで、バブリングし、前記電解水を通過させた後の前記空気を室内に吹き出す。
【０００８】
また、空気除菌装置において、活性酸素種を含む電解水中に空気を吹き込んで、バブリングするバブリング部と、前記電解水を通過させた後の前記空気を室内に吹き出す送風部と、を備えたことを特徴としている。
上記構成によれば、バブリング部は、活性酸素種を含む電解水中に空気を吹き込んで、バブリングする。
送風部は、バブリング部により電解水を通過させた後の空気を室内に吹き出す。
これらの場合において、水道水を電気分解して電解水を生成する電解ユニットを備えているようにしてもよい。
【発明の効果】
【０００９】
本発明によれば、電解水ミスト内あるいは電解水内を空気が通過する際に、空気中のウィルスなどを不活化でき、電解水ミストが到達しにくい大空間であっても効率よく除菌を行える。
【発明を実施するための最良の形態】
【００１０】
以下、図面を参照して本発明の実施の形態について説明する。
図１は、本発明の一実施形態を示す斜視図である。
図１において、床置き式空気除菌装置１は、箱形の筐体２を備え、この筐体２は、脚片２Ａと、前パネル２Ｂと、天パネル２Ｃとを含み、この天パネル２Ｃの両側には、操作蓋２Ｄ、開閉蓋２Ｅがそれぞれ横並びに配置されている。
【００１１】
図２は、内部構成を示す斜視図である。
また、図３は、筐体の縦断面図である。
筐体２の内部には、図２に示すように、上下方向に延出する２枚の仕切り板５１、５２が設けられ、これら仕切り板５１、５２によって上記筐体２の内部は、３つの室（除菌室９、電装室６１、給水室６２）に区分けされている。筐体２の中央に形成された除菌室９の下部には、横長の吸込口３が形成され、この吸込口３の上方にはプレフィルタ３Ａが配置されている。このプレフィルタ３Ａの上方には、送風装置７が支持板８を介して、上記仕切り板５１、５２に支持されている。
この支持板８の上方には、除菌室９が形成されている。除菌室９内には、電解水ミストＭにより生じた水滴が送風装置７を構成する送風ファン７Ａに浸入しないように、送風装置７の上方を覆うカバー２０が設けられている。除菌室９の上部である送風口近傍には、気体のみを通過させ、電解水ミストＭを含む液体の通過を阻止する液体通過阻止フィルタ２１が配置されている。
【００１２】
また、床置き式空気除菌装置１の下部には、塩素イオンを含む水道水Ｗを蓄える給水タンク１１から供給された水道水を蓄える貯水皿２２と、貯水皿２２内の水道水Ｗを電気分解して電解水ＷＥを生成する電解ユニット２３と、貯水皿２２の下面に配置され、貯水皿２２内の電解水ＥＷを加振して電解水ミストＭを生成し、除菌室９内を電解水ミストＭで満たすための超音波振動子２４と、を備えている。
また、筐体２の左側に形成された電装室６１には、図示を省略したが、当該空気調和装置１の運転制御を司るプリント基板などの電装部品が収容されている。
【００１３】
図４は、第１実施形態の概要構成説明図である。
電解槽ユニット２３は、図４に示すように、貯水皿２２の上方に配置され、一方がカソード電極、他方がアノード電極となる対の電極２３Ａ、２３Ｂを交互に複数備えている（図４では２枚のみ図示）。
電極２３Ａ、２３Ｂは、通電された場合、電解槽３１に流入した水道水Ｗを電気分解して活性酸素種を生成させる。ここで、活性酸素種とは、通常の酸素よりも高い酸化活性を持つ酸素と、その関連物質のことであり、スーパーオキシドアニオン、一重項酸素、ヒドロキシルラジカル、或いは過酸化水素といった、いわゆる狭義の活性酸素に、オゾン、次ハロゲン酸等といった、いわゆる広義の活性酸素を含めたものとする。
電極２３Ａ、２３Ｂは、例えばベースがＴｉ（チタン）で皮膜層がＩｒ（イリジウム）、Ｐｔ（白金）から構成された電極板であり、この電極２３Ａ、２３Ｂに流れる電流値は、電流密度で数ｍＡ（ミリアンペア）／ｃｍ2（平方センチメートル）〜数十ｍＡ／ｃｍ2になるように設定され、所定の遊離残留塩素濃度（例えば１ｍｇ（ミリグラム）／ｌ（リットル））を発生させる。
【００１４】
詳述すると、電極２３Ａ、２３Ｂにより水道水に通電すると、カソード電極側では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、
水に含まれる塩素イオン（水道水に予め添加されているもの）が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となる。
【００１５】
従って、電極２３Ａ、２３Ｂに通電することにより、殺菌力の大きいＨＣｌＯ（次亜塩素酸）を発生させ、ファン装置７により送風された室内の空気を、次亜塩素酸を含む電解ミストＥＷ内を通過させることにより通過する空気中に浮遊するウィルス等を不活化することができる。また、空気中の臭気も気液接触部材５を通過する際に、次亜塩素酸と反応し、イオン化して溶解するので、空気が脱臭される。
【００１６】
次に、第１実施形態の床置き式空気除菌装置の空気除菌時の動作を説明する。
図１において、操作蓋２Ｄを開くと、図示を省略した操作パネルが内側に設けられており、この操作パネルを操作することで、床置き式空気除菌装置１の運転が開始される。この運転が開始されると、図４に示すように、電解ユニット２３が駆動され、電極２３Ａ、２３Ｂへの通電により、貯水皿２２内の水道水が電気分解されて活性酸素種を含む電解水ＥＷが生成される。この電解水ＥＷは、超音波振動子２４により加振されて、電解水ミストＭとなって除菌室９内に満たされることとなる。
この状態で、除菌室９には、送風ファン７を経て、室内の空気が供給される。この室内の空気は、除菌室９内で電解水ミストＭと混合され、混合される段階で電解水ミスト中の活性酸素種に接触して、再び、室内に吹き出される。この活性酸素種は、室内の空気中に、例えばインフルエンザウィルスが浮遊した場合、その感染に必須の当該ウィルスの表面蛋白（スパイク）を破壊、消失（除去）する機能を持ち、これを破壊すると、インフルエンザウィルスと、当該ウィルスが感染するのに必要な受容体（レセプタ）とが結合しなくなり、これによって感染が阻止されることとなる。
【００１７】
その後、電解水ミストＭおよび除菌および脱臭がなされた空気は、液体通過阻止フィルタ２１に至り、除菌および脱臭がなされた空気が液体通過阻止フィルタを通過し、液体である電解水ＥＷおよび電解水ミストＭは液体通過阻止フィルタ２１により室内側への通過を阻止されて再び貯水皿２２に戻ることとなる。
本構成では、水が循環式となっており、蒸発等により水量が減った場合、給水タンク１１内の水道水が、貯水皿２２に適量供給される。この給水タンク１１は、開閉蓋２Ｅ（図１参照）を開いて取り出し自在に配置され、この給水タンク１１を取り出して水道水の補給が可能となる。
本第１実施形態によれば、除菌室９内に電解水ミストＭを充満させ、室内の空気を電解水ミストＭと混合し、電解水ミストＭ内の活性酸素種に接触させるので、室内の空気中のウィルスなどを効率的に不活化でき、空気の除菌効率の向上を図ることができ、さらに脱臭も行えるので、快適な室内空間を構築することが可能となる。
図５は、第１実施形態の変形例の概要構成説明図である。
本変形例が、第１実施形態と異なる点は、カバー２０に代えて、除菌室９の底板を貯水皿２２側が低くなるように傾斜させた傾斜面とした傾斜底板２０Ａとして構成した点である。
この結果、本変形例によれば、除菌後の電解水ミストＭに起因して生じた水滴が送風装置７を構成する送風ファン７Ａに浸入しないようにするとともに、水滴は傾斜底板２０Ａを伝って、再び貯水皿２２に戻ることとなり、電解水ＥＷの利用効率を向上させることができる。他の効果については、第１実施形態と同様である。
【００１８】
［２］第２実施形態
図６は、第２実施形態の概要構成説明図である。
本第２実施形態が第１実施形態と異なる点は、電解ユニットにポンプにより水道水を供給するとともに、電解ミストＭを除菌室内に送り込むミスト送風ファンを設けた点である。
以下の説明においては、第１実施形態と同様の部分については、第１実施形態の図面を参照して説明する。
筐体２の内部には、図２に示すように、上下方向に延出する２枚の仕切り板５１、５２が設けられ、これら仕切り板５１、５２によって上記筐体２の内部は、３つの室（除菌室９、電装室６１、給水室６２）に区分けされている。筐体２の中央に形成された除菌室９の下部には、横長の吸込口３が形成され、この吸込口３の上方にはプレフィルタ３Ａが配置されている。このプレフィルタ３Ａの上方には、送風装置７が支持板８を介して、上記仕切り板５１、５２に支持されている。
【００１９】
この支持板８の上方に形成された除菌室９内には、電解水ミストＭにより生じた水滴が送風装置７を構成する送風ファン７Ａに浸入しないように、送風装置７の上方を覆うカバー２０が設けられている。除菌室９の上部である送風口近傍には、気体のみを通過させ、電解水ミストＭを含む液体の通過を阻止する液体通過阻止フィルタ２１が配置されている。
また、床置き式空気除菌装置１の下部には、塩素イオンを含む水道水Ｗを蓄える給水タンク１１から供給された水道水を蓄える貯水皿２２と、貯水皿２２内の水道水Ｗをくみ上げるポンプ７１と、ポンプ７１によりくみ上げられて供給された水道水Ｗを電気分解して電解水ＷＥを生成する電解ユニット７２と、電解ユニット７２により供給された電解水ＷＥを蓄える電解水貯水部７３と、電解水貯水部７３内の電解水ＥＷを加振して電解水ミストＭを生成する超音波振動子７４と、生成された電解水ミストＭに送風し、除菌室９内を電解水ミストＭで満たすためのミスト送風ファン７５と、除菌室９の底部９Ａに貯まった電解水ミストＭに起因する電解水ＥＷを貯水皿２２に戻すための戻し管７６と、を備えている。
【００２０】
次に、第２実施形態の床置き式空気除菌装置の空気除菌時の動作を説明する。
図１において、操作蓋２Ｄを開くと、図示を省略した操作パネルが内側に設けられており、この操作パネルを操作することで、床置き式空気除菌装置１の運転が開始される。この運転が開始されると、ポンプ７１は、貯水皿２２内の水道水Ｗをくみ上げ、電解ユニット７２に供給する。
電解ユニット７２は、ポンプ７１によりくみ上げられて供給された水道水Ｗを電気分解して活性酸素種を含む電解水ＷＥを生成する。この電解水ＥＷは、超音波振動子２４により加振されて、電解水ミストＭとなる。これと並行して、ミスト送風ファン７５は、生成された電解水ミストＭに送風し、除菌室９内を電解水ミストＭで満たす。
【００２１】
この状態で、除菌室９には、送風ファン７を経て、室内の空気が供給される。この室内の空気は、除菌室９内で電解水ミストＭと混合され、混合される段階で電解水ミスト中の活性酸素種に接触して、再び、室内に吹き出される。この活性酸素種は、室内の空気中に、例えばインフルエンザウィルスが浮遊した場合、その感染に必須の当該ウィルスの表面蛋白（スパイク）を破壊、消失（除去）する機能を持ち、これを破壊すると、インフルエンザウィルスと、当該ウィルスが感染するのに必要な受容体（レセプタ）とが結合しなくなり、これによって感染が阻止されることとなる。
【００２２】
その後、電解水ミストＭおよび除菌および脱臭がなされた空気は、液体通過阻止フィルタ２１に至り、除菌および脱臭がなされた空気が液体通過阻止フィルタ２１を通過し、液体である電解水ＥＷおよび電解水ミストＭは液体通過阻止フィルタ２１の通過を阻止されて除菌室９の底部９Ａに貯まり、戻し管７６を介して再び貯水皿２２に戻ることとなる。
本第２実施形態によれば、除菌室９内に電解水ミストＭをミスト送風ファン７５により充満させるとともに、室内の空気を電解水ミストＭと撹拌、混合し、電解水ミストＭ内の活性酸素種により確実に接触させるので、室内の空気中のウィルスなどを効率的に不活化でき、空気の除菌効率の向上を図ることができ、さらに脱臭も行えるので、快適な室内空間を構築することが可能となる。
【００２３】
［３］第３実施形態
図７は、第３実施形態の概要構成説明図である。
本第３実施形態は、第１実施形態および第２実施形態が電解ミストＭで除菌後、液体通過素子フィルタ２１により電解水ミストＭが室内の空気中に放出されないようにしていたのに対し、除菌後の電解ミストを加熱して気化させるように構成した点が、第１実施形態および第２実施形態と異なっている。
以下の説明においては、第１実施形態あるいは第２実施形態と同様の部分については、第１実施形態あるいは第２実施形態の図面を参照するとともに、同一の符号を付して説明する。
【００２４】
筐体２の内部には、図２に示すように、上下方向に延出する２枚の仕切り板５１、５２が設けられ、これら仕切り板５１、５２によって上記筐体２の内部は、３つの室（除菌室９、電装室６１、給水室６２）に区分けされている。筐体２の中央に形成された除菌室９の下部には、横長の吸込口３が形成され、この吸込口３の上方にはプレフィルタ３Ａが配置されている。このプレフィルタ３Ａの上方には、送風装置７が支持板８を介して、上記仕切り板５１、５２に支持されている。
また、床置き式空気除菌装置１の下部には、塩素イオンを含む水道水Ｗを蓄える給水タンク１１から供給された水道水を蓄える貯水皿２２と、貯水皿２２内の水道水Ｗを電気分解して電解水ＷＥを生成する電解ユニット２３と、貯水皿２２の下面に配置され、貯水皿２２内の電解水ＥＷを加振して電解水ミストＭを生成し、除菌室９内を電解水ミストＭで満たすための超音波振動子２４と、生成された電解水ミストＭに送風し、除菌室９内を電解水ミストＭで満たすためのミスト送風ファン７５と、除菌室９の底部９Ａに貯まった電解水ミストＭに起因する電解水ＥＷを汲み上げ、戻し管８１Ａ、８１Ｂを介して貯水皿２２に戻すためのポンプ８２と、除菌室９内に設けられ、室内の空気と混合された電解ミストを加熱して水蒸気ＷＧとするためのヒータＨＴと、を備えている。
【００２５】
次に、第３実施形態の床置き式空気除菌装置の空気除菌時の動作を説明する。
図１において、操作蓋２Ｄを開くと、図示を省略した操作パネルが内側に設けられており、この操作パネルを操作することで、床置き式空気除菌装置１の運転が開始される。この運転が開始されると、図４に示すように、電解ユニット２３が駆動され、電極２３Ａ、２３Ｂへの通電により、貯水皿２２内の水道水が電気分解されて活性酸素種を含む電解水ＥＷが生成される。この電解水ＥＷは、超音波振動子２４により加振されて、電解水ミストＭとなる。これと並行して、ミスト送風ファン７５は、生成された電解水ミストＭに送風し、除菌室９内を電解水ミストＭで満たす。
この状態で、除菌室９には、送風ファン７を経て、室内の空気が供給される。この室内の空気は、除菌室９内で電解水ミストＭと混合され、混合される段階で電解水ミスト中の活性酸素種に接触する。この活性酸素種は、室内の空気中に、例えばインフルエンザウィルスが浮遊した場合、その感染に必須の当該ウィルスの表面蛋白（スパイク）を破壊、消失（除去）する機能を持ち、これを破壊すると、インフルエンザウィルスと、当該ウィルスが感染するのに必要な受容体（レセプタ）とが結合しなくなり、これによって感染が阻止されることとなる。
【００２６】
その後、除菌、脱臭がなされた空気および電解水ミストＭは、ヒータＨＴに至り、加熱され、電解ミストＭは、気化されて水蒸気ＷＧとして放出されることとなる。
このとき、除菌室９の底部９Ａに貯まった電解水ミストＭに起因する電解水ＥＷは、ポンプ８２により汲み上げられ、戻し管８１Ａ、８１Ｂを介して再び貯水皿２２に戻ることとなる。
本第３実施形態によれば、除菌室９内に電解水ミストＭをミスト送風ファン７５により充満させるとともに、室内の空気を電解水ミストＭと撹拌、混合し、電解水ミストＭ内の活性酸素種により確実に接触させるので、室内の空気中のウィルスなどを効率的に不活化でき、空気の除菌効率の向上を図ることができ、さらに脱臭も行えるので、快適な室内空間を構築することが可能となる。
このとき、除菌、脱臭後の電解水ミストＭは、ヒータにより加熱されて水蒸気として室内に供給され、室内の湿度を適度に保つことができ、ウィルスなどの繁殖を抑制することとなり、除菌効果と併せてより一層の効果を得ることができる。
【００２７】
［４］第４実施形態
図８は、第４実施形態の概要構成説明図である。
本第４実施形態が第１実施形態ないし第３実施形態と異なる点は、電解ミストＭで除菌室９内を満たすのではなく、電解ミストＭをエアカーテン状に流して、電解ミストエアカーテンＭＡＣを形成し、空気を電解ミストエアカーテンＭＡＣ内を通過させて除菌させる点である。
以下の説明においては、第１実施形態ないし第３実施形態と同様の部分については、第１実施形態、第２実施形態あるいは第３実施形態の図面を参照して説明する。
筐体２の内部には、図２に示すように、上下方向に延出する２枚の仕切り板５１、５２が設けられ、これら仕切り板５１、５２によって上記筐体２の内部は、３つの室（除菌室９、電装室６１、給水室６２）に区分けされている。筐体２の中央に形成された除菌室９の下部には、横長の吸込口３が形成され、この吸込口３の上方にはプレフィルタ３Ａが配置されている。このプレフィルタ３Ａの上方には、送風装置７が支持板８を介して、上記仕切り板５１、５２に支持されている。
【００２８】
除菌室９の上部である送風口近傍には、気体のみを通過させ、電解水ミストＭを含む液体の通過を阻止する液体通過阻止フィルタ２１が配置されている。
また、床置き式空気除菌装置１の下部には、塩素イオンを含む水道水Ｗを蓄える給水タンク１１から供給された水道水を蓄える貯水皿２２と、貯水皿２２内の水道水Ｗを電気分解して電解水ＷＥを生成する電解ユニット２３と、貯水皿２２の下面に配置され、貯水皿２２内の電解水ＥＷを加振して電解水ミストＭを生成し、除菌室９内を電解水ミストＭで満たすための超音波振動子２４と、生成された電解水ミストＭに送風し、除菌室９内を電解水ミストＭで満たすためのミスト送風ファン７５と、除菌室９の底部９Ａに貯まった電解水ミストＭに起因する電解水ＥＷを汲み上げ、戻し管８１Ａ、８１Ｂを介して貯水皿２２に戻すためのポンプ８２と、が設けられている。
【００２９】
さらに床置き式空気除菌装置１の除菌室９内には、電解ミストエアカーテンＭＡＣを形成すべく電解水ミストＭを循環させるための流路を形成する循環ダクト８５と、電解ミストエアカーテンＭＡＣを形成すべく電解水ミストＭを循環ダクト８５内で循環させるための送風を行う循環用送風ファン８６と、送風装置７からの空気の送風により電解ミストエアカーテンＭＡＣが必要以上に乱されないように整流すべく電解ミストエアカーテンＭＡＣの流れに沿って配置された２枚の網状の整流部材８７Ａ、８７Ｂと、が配置されている。
【００３０】
次に、第４実施形態の床置き式空気除菌装置の空気除菌時の動作を説明する。
図１において、操作蓋２Ｄを開くと、図示を省略した操作パネルが内側に設けられており、この操作パネルを操作することで、床置き式空気除菌装置１の運転が開始される。この運転が開始されると、ポンプ７１は、貯水皿２２内の水道水Ｗをくみ上げ、電解ユニット７２に供給する。
電解ユニット７２は、ポンプ７１によりくみ上げられて供給された水道水Ｗを電気分解して活性酸素種を含む電解水ＷＥを生成する。この電解水ＥＷは、超音波振動子２４により加振されて、電解水ミストＭとなる。これと並行して、ミスト送風ファン７５は、生成された電解水ミストＭに送風し、循環ダクト８５に供給される。
循環ダクト８５に供給された電解ミストＭは、循環用送風ファン８６による送風で循環ダクト８５内で循環させられることとなる。
そして、巡回用ダクト８５の一端から他端側に向けて放出され、整流部材８７Ａおよび整流部材８７Ｂ内を通る電解ミストエアカーテンＭＡＣとされる。
【００３１】
この状態で、除菌室９には、上面側の吸込口３Ｘおよび送風ファン７を経て、室内の空気が供給される。この室内の空気は、整流部材８７Ａ→電解ミストエアカーテンＭＡＣ→整流部材８７Ｂの順番で通過して、第１実施形態ないし第３実施形態と同様に、電解ミストエアカーテンＭＡＣ内で電解水ミスト中の活性酸素種に接触して除菌および脱臭がなされる。
その後、電解ミストエアカーテンＭＡＣから整流部材８７Ｂを介して漏れ出た電解水ミストＭおよび除菌および脱臭がなされた空気は、液体通過阻止フィルタ２１に至り、除菌および脱臭がなされた空気が液体通過阻止フィルタを通過し、液体である電解水ＥＷおよび電解水ミストＭは液体通過阻止フィルタの通過を阻止されて、除菌室９の底部９Ａに貯まることとなる。
【００３２】
このとき、除菌室９の底部９Ａに貯まった電解水ミストＭに起因する電解水ＥＷは、ポンプ８２により汲み上げられ、戻し管８１Ａ、８１Ｂを介して再び貯水皿２２に戻ることとなる。
本第４実施形態によれば、室内の空気を電解水ミストエアカーテンＭＡＣ内を通過させることにより電解水ミストＭ内の活性酸素種に、より確実に接触させるので、室内の空気中のウィルスなどを効率的に不活化でき、空気の除菌効率の向上を図ることができ、さらに脱臭も行えるので、快適な室内空間を構築することが可能となる。
【００３３】
図９は、第５実施形態の概要構成説明図である。
本第５実施形態が第１実施形態ないし第４実施形態と異なる点は、電解ミストＭで除菌を行うのではなく、電解水ＥＷ内に直接空気を細かな泡にして供給し、泡状の空気を電解水ＥＷ内で攪拌しつつ、通過させることにより除菌させる点である。
以下の説明においては、第１実施形態ないし第３実施形態と同様の部分については、第１実施形態、第２実施形態、第３実施形態あるいは第４実施形態の図面を参照して説明する。
筐体２の内部には、図２に示すように、上下方向に延出する２枚の仕切り板５１、５２が設けられ、これら仕切り板５１、５２によって上記筐体２の内部は、３つの室（除菌室９、電装室６１、給水室６２）に区分けされている。筐体２の中央に形成された除菌室９の下部には、横長の吸込口３が形成され、この吸込口３の上方にはプレフィルタ３Ａが配置されている。このプレフィルタ３Ａの上方には、バブリング送風ファン９１Ａを有するバブリング送風装置９１が支持板８を介して、仕切り板５１、５２に支持されている。
【００３４】
また、床置き式空気除菌装置１の下部には、塩素イオンを含む水道水Ｗを蓄える給水タンク１１から供給された水道水を蓄えるとともに、下面に排水ホース２２Ａが設けられた貯水皿２２と、貯水皿２２内の水道水Ｗを電気分解して電解水ＷＥを生成する電解ユニット２３と、貯水皿２２の下方に配置された電源ボックス９２と、が設けられている。
【００３５】
さらに床置き式空気除菌装置１の貯水皿２２に蓄えられた電解水ＷＥ内には、バブリング送風装置９１の送付口が挿入されている。これにより、バブリング送風装置９１による空気の送風により室内の空気は泡（バブル）Ｂとなって、電解水ＷＥ内で攪拌される。
【００３６】
次に、第５実施形態の床置き式空気除菌装置の空気除菌時の動作を説明する。
図１において、操作蓋２Ｄを開くと、図示を省略した操作パネルが内側に設けられており、この操作パネルを操作することで、床置き式空気除菌装置１の運転が開始される。
この運転が開始されると、電解ユニット７２は、貯水皿２２内の水道水Ｗを電気分解して活性酸素種を含む電解水ＷＥを生成する。
【００３７】
この状態で、貯水皿２２内の電解水ＷＥ内には、正面側の吸込口３Ｙおよびバブリング送風装置９１のバブリング送風ファン９１Ａを経て、室内の空気が細かな泡（バブル）として供給される。この泡状の室内の空気は、電解水ＷＥ内を攪拌されつつ通過して、第１実施形態ないし第４実施形態と同様に、電解水ＷＥ内で、電解水ＷＥ中の活性酸素種に接触して除菌および脱臭がなされる。
その後、除菌および脱臭がなされた空気は、室内に送出されることとなる。
【００３８】
本第５実施形態によれば、室内の空気を電解水ＷＥ内を細かな泡Ｂとして攪拌しつつ通過させることにより、電解水ＷＥ内の活性酸素種に、より確実に接触させるので、室内の空気中のウィルスなどを効率的に不活化でき、空気の除菌効率の向上を図ることができ、さらに脱臭も行えるので、快適な室内空間を構築することが可能となる。
【００３９】
また、上記第５実施形態では、電解水ＥＷ内に泡（バブル）として供給するに際し、バブリング送風ファン９１Ａを用いていたが、エアポンプを設け、室内の空気を電解水ＥＷの中へ吹き込んでバブリングし、バブリング後の空気を送風ファンにより供給する構成とすることも可能である。
【００４０】
以上、一実施形態に基づいて本発明を説明したが、本発明は、これに限定されるものではない。例えば、活性酸素種としてオゾン（Ｏ3）や過酸化水素（Ｈ2Ｏ2）を発生させる構成としても良い。この場合、電極として白金タンタル電極を用いると、イオン種が希薄な水から、電気分解により高効率に安定して活性酸素種を生成できる。
このとき、アノード電極では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。またカソード電極では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極反応により生成したＯ2-と溶液中のＨ+とが結合して、過酸化水素（Ｈ2Ｏ2）が生成される。
【００４１】
この構成では、電極に通電することにより、殺菌力の大きいオゾン（Ｏ3）や過酸化水素（Ｈ2Ｏ2）が発生し、これらオゾン（Ｏ3）や過酸化水素（Ｈ2Ｏ2）を含んだ電解水を作ることができる。この電解水中におけるオゾンもしくは過酸化水素の濃度を、対象ウィルス等を不活化させる濃度に調整し、この濃度の電解水が供給された気液接触部材５に空気を通過させることにより、空気中に浮遊する対象ウィルス等を不活化することができる。また、臭気も気液接触部材５を通過する際に、電解水中のオゾンまたは過酸化水素と反応し、イオン化して溶解することで、空気中から除去され、脱臭される。
【００４２】
水道水を電気分解することにより、電極上（カソード）にスケールが堆積した場合、電気伝導性が低下し、継続的な電気分解が困難となる。
この場合、電極の極性を反転（電極のプラスとマイナスを切り替える）させることが効果的である。カソード電極をアノード電極として電気分解することで、カソード電極上に堆積したスケールを取り除くことができる。この極性反転制御では、例えばタイマを利用して定期的に反転させてもよいし、運転起動の度に反転させる等、不定期的に反転させてもよい。また、電解抵抗の上昇（電解電流の低下、あるいは電解電圧の上昇）を検出し、この結果に基づいて、極性を反転させてもよい。
【００４３】
上記実施形態では、出し入れ自在な給水タンク１１による給水方式としたが、この給水タンク１１の代わりに、例えば水道管を接続して、市水を直接導く水配管給水方式としてもよいことは云うまでもない。
【図面の簡単な説明】
【００４４】
【図１】本発明の一実施形態を示す斜視図である。
【図２】内部構成を示す斜視図である。
【図３】筐体の縦断面図である。
【図４】第１実施形態の概要構成説明図である。
【図５】第１実施形態の変形例の概要構成説明図である。
【図６】第２実施形態の概要構成説明図である。
【図７】第３実施形態の概要構成説明図である。
【図８】第４実施形態の概要構成説明図である。
【図９】第５実施形態の概要構成説明図である。
【符号の説明】
【００４５】
１  床置き式空気除菌装置（空気除菌装置）
９  除菌室
２１  液体通過阻止フィルタ
２２  貯水皿
２３、７２  電解ユニット
２４、７４  超音波振動子
７５  ミスト送風ファン
８５  循環ダクト
８６  循環用送風ファン
８７Ａ、８７Ｂ  整流部材
９１  バブリング送風装置
９１Ａ  バブリング送風ファン
ＥＷ  電解水
ＨＴ  ヒータ
Ｍ  電解水ミスト
ＭＡＣ  電解水ミストエアカーテン
Ｖ  ウィルス等
Ｗ  水道水
【図１】
2007236576.tif 000003
【図２】
2007236576.tif 000004
【図３】
2007236576.tif 000005
【図４】
2007236576.tif 000006
【図５】
2007236576.tif 000007
【図６】
2007236576.tif 000008
【図７】
2007236576.tif 000009
【図８】
2007236576.tif 000010
【図９】
2007236576.tif 000011